(57)【要約】    【課題】  コスト高を招来することなく、ベッドに寝かせたままで体重を測定できるようにした可動式体重測定装置を提供する。    【解決手段】  架台(11)にＸリンク機構(13)を搭載し、Ｘリンク機構の上端に載置テーブル(14)を設け、載置テーブル上に電子体重計(15)の荷重測定部(15A)を搭載する。架台をベッド(30)の下側に差し込み、位置決め部(20)で位置決めした後、ペダル(18C)を踏み込み、油圧ジャッキ(18)に油圧を供給し、Ｘリンク機構を作動させて載置テーブルを上昇させ、ベッドが持ち上げられた時に荷重測定部でベッドの荷重を受け、該荷重から被測定者の体重を求めて表示部に表示する。【選択図】  図１
0003126295.tif 000002
【実用新案登録請求の範囲】
【請求項１】
測定時にベッドの下側に差し込まれ、被測定者をベッドに寝かせたままで体重を測定できるようにした可動式体重測定装置であって、
底部にキャスターが設けられ、ハンドルを手で押し引きすることによって移動されてベッドの下側に差し込まれ得る架台と、
該架台に搭載され、開閉可能に構成され、リンク上端に載置テーブルが設けられたＸリンク機構と、
ペダルが踏み込まれることによって油圧が供給されてラムが伸長され、上記Ｘリンク機構を縦長に開くことによって上記載置テーブルを上昇させる油圧ジャッキと、
被測定者が荷重測定部に載ることによって体重を測定し表示部に表示する電子体重計であって、荷重測定部が上記載置テーブル上に搭載され、上記油圧ジャッキによって上記載置テーブルが上昇されて上記ベッドが持ち上げられた時に上記荷重測定部で上記ベッドの荷重を受け、該荷重から被測定者の体重を求めて表示部に表示するように構成された上記電子体重計と、
上記架台に設けられ、上記架台を上記ベッドの下側に差し込む際に該ベッドに対して位置決めするための位置決め部と、
を備えたことを特徴とする可動式体重測定装置。
【請求項２】
上記位置決め部は上記ベッドの側面に形成されたマークと位置合わせされることによって上記架台をベッドに対して位置決めするようになっている請求項１記載の可動式体重測定装置。
【請求項３】
上記荷重測定部の上に平板が搭載され、該平板でベッド底面を受けて荷重測定部に伝えるようになっている請求項１記載の可動式体重測定装置。
【請求項４】
上記電子体重計の表示部が荷重測定部から離れて設けられている請求項１記載の可動式体重測定装置。
【考案の詳細な説明】
【技術分野】
【０００１】
本考案は可動式体重測定装置に関し、特にコスト高を招来することなく、ベッドに寝かせたままで体重を測定できるようにした装置に関する。
【背景技術】
【０００２】
平成１７年１０月に介護保険制度が改正され、栄養ケアマネージメント制度が導入されたことに伴い、介護施設の入居者について月１回体重を測定しなければ介護保険の適用が認められなくなった。そのため、自力で動けない、いわゆる寝たきりの患者についても体重を毎月測定することが必要となった。
【０００３】
従来より、ロードセル、歪みゲージ、圧電素子などを用いて電子体重計を構成し、電子体重計をベッドに組み込み、ベッドに横臥したままで被測定者の体重を測定できるようにした体重計付きベッドが種々提案されている（特許文献１、特許文献２、特許文献３、特許文献４）表２００３−５２８３０７号公報）。
【０００４】
【特許文献１】特開２００５−３００３６８号公報
【特許文献２】特表２００３−５２８３０７号公報
【特許文献３】特公平０２−１０３６６号公報
【特許文献４】実用新案登録第３０６３６７７号公報
【考案の開示】
【考案が解決しようとする課題】
【０００５】
しかし、従来の体重計付きベッドでは予め電子体重計を組み込んでベッドを製作するか、又は後付けできるように製作した電子体重計をベッドに組み込むようにしているので、コストが高く、多数の体重計付きのベッドを採用することは難しいのが実情である。
【０００６】
そのため、介護者が寝たきりの患者を抱えて体重計に載せ、測定後に再び抱えてベッドに戻すという作業を行っていたが、介護者の負担が非常に大きい。
【０００７】
本考案はかかる問題点に鑑み、コスト高を招来することなく、ベッドに寝かせたままで体重を測定できるようにした可動式体重測定装置を提供することを課題とする。
【課題を解決するための手段】
【０００８】
そこで、本考案に係る可動式体重測定装置は、測定時にベッドの下側に差し込まれ、被測定者をベッドに寝かせたままで体重を測定できるようにした可動式体重測定装置であって、底部にキャスターが設けられ、ハンドルを手で押し引きすることによって移動されてベッドの下側に差し込まれ得る架台と、該架台に搭載され、開閉可能に構成され、リンク上端に載置テーブルが設けられたＸリンク機構と、ペダルが踏み込まれることによって油圧が供給されてラムが伸長され、上記Ｘリンク機構を縦長に開くことによって上記載置テーブルを上昇させる油圧ジャッキと、被測定者が荷重測定部に載ることによって体重を測定し表示部に表示する電子体重計であって、荷重測定部が上記載置テーブル上に搭載され、上記油圧ジャッキによって上記載置テーブルが上昇されて上記ベッドが持ち上げられた時に上記荷重測定部で上記ベッドの荷重を受け、該荷重から被測定者の体重を求めて表示部に表示するように構成された上記電子体重計と、上記架台に設けられ、上記架台を上記ベッドの下側に差し込む際に該ベッドに対して位置決めするための位置決め部と、を備えたことを特徴とする。
【０００９】
本考案の主たる特徴はキャスター付き架台にＸリンク機構と載置テーブルとを搭載して載置テーブルを昇降可能に構成し、被測定者が載って体重を測定するタイプの電子体重計の荷重測定部を載置テーブルに載せ、架台をベッドの下側に差し込み、油圧ジャッキによって載置テーブルを上昇させてベッドを持ち上げ、荷重測定部でベッドの荷重を受け、その荷重から体重を求める、具体的にはその荷重から予め求めておいたベッドの重量を減算することによって体重を求めるようにした点にある。
【００１０】
これにより、Ｘリンク機構と油圧ジャッキを備えた手押し式架台と、市販の電子体重計によって体重測定装置を安価に構成することができる。この場合、電子体重計の表示部は荷重測定部から離れて設けるのがよい。
【００１１】
また、手押し式架台を体重を測定すべき被測定者のベッドの下側に差し込み、ペダルを踏み込んで油圧ジャッキを作動させてベッドの荷重を受け、荷重から被測定者の体重を求めるようにしたので、高価な電子体重計を組み込んだ高価なベッドあるいは後付けに製作された高価な電子体重計を採用する必要がない。
【００１２】
また、被測定者をベッドに寝かせたままで体重を正確に測定する上で、荷重測定部とベッドとは相互に正確に位置合わせする必要がある。そこで、位置決め部をベッドの側面に形成されたマークと位置合わせすることによって架台をベッドに対して位置決めするのがよい。位置決め部は例えば起立させた位置決めバーを採用することができる。
【００１３】
被測定者が荷重測定部に載って体重を測定するタイプの電子体重計は荷重測定部が比較的小さく、被測定者を含むベッドの重心の位置を荷重測定部の所定の位置に合わせることが難しい。そこで、荷重測定部の上に平板を搭載し、平板でベッド底面を受けるように構成するのがよい。
【００１４】
電子体重計はロードセル、歪みゲージ、圧電素子などを用いて体重を測定するものであれば特に限定されない。油圧ジャッキはペダルの踏み込みによって油圧を供給してラムを伸長させるものであれば特に構造や形式は限定されない。
【考案を実施するための最良の形態】
【００１５】
以下、本考案を具体例に基づいて詳細に説明する。図１ないし図５は本考案に係る可動式体重測定装置の好ましい実施形態を示す。図において、体重測定装置１０は四角形状のベースフレーム１１（架台）を含み、ベースフレーム１１の四隅にはキャスター１１Ａが取付けられている。
【００１６】
ベースフレーム１１の一方の側面中央にはパイプ製の台車１２の先端が連結され、台車１２には逆Ｕ字状のハンドル１２Ａが取付けられ、台車１２にはキャスター１２Ｂが取付けられている。
【００１７】
また、ベースフレーム１１にはＸリンク機構１３が搭載されている。このＸリンク機構１３ではベースフレーム１１の両側部内面にガイド溝１１Ｂが凹設され、該ガイド溝１１Ｂ内にはピン１３Ａがスライド自在に遊嵌され、ピン１３ＡはＸリンク１２の一方のリンクの下端に取付けられ、他方のリンクの下端はベースフレーム１１の端部に回転可能に取付けられている。
【００１８】
また、Ｘリンク１３Ａの上端には載置テーブル１４が搭載されている。この載置テーブル１４の周縁にはフランジが下方に形成され、フランジの両側部内面にはガイド溝１４Ａが凹設され、ガイド溝１４Ａにはピン１３Ｄがスライド自在に遊嵌され、ピン１３ＤはＸリング１３Ａの一方のリンクの上端に取付けられ、他方のリンクの上端はフランジの内面に回転可能に取付けられている。
【００１９】
載置テーブル１４上の一側部には電子体重計１５の荷重測定部１５Ａが搭載されるとともに、他側部には受け部材１６が搭載され、ゴムなどの弾性部材を用いて荷重測定部１５Ａと同じ高さに形成されている。
【００２０】
この荷重測定部１５Ａ及び受け部材１６の上には底面が開口された函体（平板）１７が被せられ、函体１７がベッドの底面を受けるようになっている。
【００２１】
また、Ｘリンク機構１３Ａの連結軸１３Ｅには油圧ジャッキ１８のラム１８Ｂの先端が回転可能に連結され、油圧ジャッキ１８には油圧ホース１８Ｃによって油圧ポンプ１８Ａが接続され、油圧ポンプ１８Ａにはペダル１８Ｃとリリーフレバー（図示せず）が設けられている。
【００２２】
ペダル１８Ｃを繰り返し踏み込むことによって油圧ジャッキ１８に油圧が供給されてラム１８Ｂが伸び、Ｘリンク機構１３を縦長に開くことによって載置テーブル１４を上昇させる一方、リリーフレバーを操作することによって油圧ジャッキ１８の油圧が油圧ポンプ１８Ａに戻されてＸリンク機構１３が横長に開かれて載置テーブル１４を下降されるようになっている。
【００２３】
また、油圧ポンプ１８Ａのケース上には電子体重計１５の表示部１５Ｂが搭載され、又電子体重計１５内のメモリ１５Ｄには患者の寝ていない空のベッドの重さが予め測定されて記憶されており、荷重測定部１５Ａでベッドの荷重が測定されると、演算処理部１５Ｃでその測定値から空のベッドの重さが減算されることによって患者の体重が求められ、表示部１５Ｂに表示されるようになっている。
【００２４】
さらに、台車１２には位置決め棒（位置決め部）２０が載置テーブル１４の長手方向の中央に対応する位置に立設され、位置決め棒２０をベッド側面中央に形成されたマークと合わせることによって載置テーブル１４を位置決めするようになっている。
【００２５】
寝たきりの患者の体重を測定する場合、ベッド３０の側面フレームの中央には予めマークを入れておく。台車１２のハンドル１２Ａを持って台車１２を押し引きしながらベースフレーム１１をベッド３０の下側に差し込み、位置決め棒２０とベッド３０の側面のマークを合わせると、ベースフレーム１１とベッド３０とを相互に所定の位置に位置決めすることができる。
【００２６】
次に、油圧ジャッキ１８のペダル１８Ｃを足で繰り返し踏み込むと、油圧ポンプ１８Ａから油圧ジャッキ１８に油圧が供給され、ラム１８Ｂが伸び、Ｘリンク１３Ａが縦長に開き、載置テーブル１４が上昇され、函体１７がベッド２０の底面に押しつけられ、ベッド３０がフロアから浮くと、電子体重計１５の荷重測定部１５Ａにベッド３０の全荷重が加わるので、その重さが測定され、測定結果は演算処理部１５Ｃに出力される。
【００２７】
電子体重計１５のメモリ１５Ｄには測定すべき患者毎に空のベッド３０の重さが予め測定されて記憶されており、表示部１５Ｂの入力ボタンでベッド３０を指示すると、空のベッド３０の重さがメモリ１５Ｄから読み出されて演算処理部１５Ｃに入力され、演算処理部１５Ｃでは測定されたベッド３０の全荷重から空のベッド３０の重さを減算し、これが患者の体重として表示部１５Ｂに表示される。
【００２８】
こうして体重の測定が済むと、油圧ポンプ１８Ａのリリーフレバーを操作し、油圧ジャッキ１８の油圧を解放すると、Ｘリンク機構１３が横長に開き、載置テーブル１４がベースフレーム１１上に重なるように下降するので、後はハンドル１２Ａを持って台車１２及びベースフレーム１１を移動させればよい。
【００２９】
以上のように、Ｘリンク機構１３と油圧ジャッキ１８を備えた手押し式台車１２と、市販の電子体重計１５によって体重測定装置を安価に構成することができる。
【００３０】
また、介護者が寝たきりの患者を抱える必要がないので、看護者の負担を大幅に軽減できる。
【図面の簡単な説明】
【００３１】
【図１】本考案に係る可動式体重測定装置の好ましい実施形態を示す概略構成図である。
【図２】上記実施形態の構造例を示す斜視図である。
【図３】上記実施形態の使用方法を示す図である。
【図４】上記実施形態の使用方法を示す図である。
【図５】上記実施形態における電子体重計の構成例を示す図である。
【符号の説明】
【００３２】
１０      可動式体重測定装置
１１      ベースフレーム（架台）
１２      台車
１２Ａ    ハンドル
１３      Ｘリンク機構
１３Ａ    Ｘリンク
１４      載置テーブル
１５      電子体重計
１５Ａ    荷重測定部
１５Ｂ    表示部
１７      函体（平板）
１８      油圧ジャッキ
１８Ａ    油圧ポンプ
１８Ｂ    ラム
１８Ｃ    ペダル
２０      位置決め棒（位置決め部）
【図１】
0003126295.tif 000003
【図２】
0003126295.tif 000004
【図３】
0003126295.tif 000005
【図４】
0003126295.tif 000006
【図５】
0003126295.tif 000007